(57)【要約】【課題】  医療情報の信頼性を確認できると共に、使い勝手のよい医療情報管理システムを提供できる。【解決手段】  医療情報管理システムは、患者の医用画像を取得するための医療装置と、医療装置と接続され前記医療装置にて取得された前記医用画像を含めた患者の医療情報を管理するための医療情報管理装置とを備える。更に、医療装置は、患者の医用画像を得るための画像取得手段と、画像取得手段を操作する操作者を特定するための識別情報を入力するための入力手段と、画像取得手段で取得された医用画像と入力手段により入力された識別情報と関連付けると共に，医用画像に識別情報が組み込まれた医療情報データとして第１記憶部に記憶させる第１制御手段と、記憶部に記憶された医療情報データを医療情報管理装置側に出力するための出力手段と、を備える。【選択図】      図３
2012200292.tif 000002
【特許請求の範囲】
【請求項１】
患者の医用画像を取得するための医療装置と、該医療装置と接続され前記医療装置にて取得された前記医用画像を含めた患者の医療情報を管理するための医療情報管理装置とを有する医療情報管理システムにおいて、
前記医療装置は、
患者の医用画像を得るための画像取得手段と、
該画像取得手段を操作する操作者を特定するための識別情報を入力するための入力手段と、
前記画像取得手段により取得された前記医用画像と前記入力手段により入力された前記識別情報と関連付けるとともに，前記医用画像に前記識別情報が組み込まれた医療情報データとして第１記憶部に記憶させる第１制御手段と、
前記記憶部に記憶された前記医療情報データを前記医療情報管理装置側に出力するための出力手段と、
を備えることを特徴とする医療情報管理システム。
【請求項２】
請求項１に記載の医療情報管理システムにおいて、前記医療情報管理装置は、前記出力手段により出力された前記医療情報データを記憶する第２記憶部と、該第２記憶手段に記憶された前記医療情報データを呼び出した際に前記医用画像と前記識別情報とを可視化した状態でモニタ及びプリンタの少なくとも一方に出力させる第２制御手段と、を有することを特徴とする医療情報管理システム。
【請求項３】
請求項２に記載の医療情報管理システムにおいて、前記第２制御手段は第２記憶部から呼び出された前記医療情報データを前記医用画像と前記識別情報とに分け，前記モニタに表示された医療情報管理画面上に用意された所定の表示欄に前記医用画像を組み込むと共に、該表示欄とは別の表示欄に前記識別情報を組み込む処理を行うことを特徴とする医療情報管理システム。
【請求項４】
請求項３の医療情報管理システムにおいて、前記医療装置は患者眼を撮影するための眼科撮影装置であり、前記医用画像は患者眼の撮影画像であることを特徴とする医療情報管理システム。
【発明の詳細な説明】
【技術分野】
【０００１】
本発明は、医療装置で取得された医用画像等の医療情報を保存・管理するための医療情報管理システムに関する。
【背景技術】
【０００２】
従来、測定手段により患者を測定し得られた測定情報と患者情報とを画像ファイルに変換してデータを取り扱う装置が知られている（例えば、特許文献１参照）。このような装置は、眼科測定装置で取得された測定情報を画像ファイル化し、この画像ファイルに患者情報や検者情報をファイル名として付与するものである。
【先行技術文献】
【特許文献】
【０００３】
【特許文献１】特開２００５‐２６１６１６号公報
【発明の概要】
【発明が解決しようとする課題】
【０００４】
しかしながら、特許文献１の技術は画像ファイルを開く前に種々の情報が認知されるように画像ファイル名に各種の医療情報を用いたものに過ぎず、使い勝手が良くない。また、ファイル名を誤って書き換えてしまえば情報は消えてしまうこととなる。
【０００５】
本発明は、上記従来技術の問題点に鑑み、医療情報の信頼性を確認できると共に、使い勝手のよい医療情報管理システムを提供することを技術課題とする。
【課題を解決するための手段】
【０００６】
上記課題を解決するために、本発明は以下のような構成を備えることを特徴とする。
【０００７】
（１）  患者の医用画像を取得するための医療装置と、該医療装置と接続され前記医療装置にて取得された前記医用画像を含めた患者の医療情報を管理するための医療情報管理装置とを有する医療情報管理システムにおいて、前記医療装置は、患者の医用画像を得るための画像取得手段と、該画像取得手段を操作する操作者を特定するための識別情報を入力するための入力手段と、前記画像取得手段により取得された前記医用画像と前記入力手段により入力された前記識別情報と関連付けるとともに，前記医用画像に前記識別情報が組み込まれた医療情報データとして第１記憶部に記憶させる第１制御手段と、前記記憶部に記憶された前記医療情報データを前記医療情報管理装置側に出力するための出力手段と、を備えることを特徴とする。
（２）  （１）に記載の医療情報管理システムにおいて、前記医療情報管理装置は、前記出力手段により出力された前記医療情報データを記憶する第２記憶部と、該第２記憶手段に記憶された前記医療情報データを呼び出した際に前記医用画像と前記識別情報とを可視化した状態でモニタ及びプリンタの少なくとも一方に出力させる第２制御手段と、を有することを特徴とする。
（３）  （２）に記載の医療情報管理システムにおいて、前記第２制御手段は第２記憶部から呼び出された前記医療情報データを前記医用画像と前記識別情報とに分け，前記モニタに表示された医療情報管理画面上に用意された所定の表示欄に前記医用画像を組み込むと共に、該表示欄とは別の表示欄に前記識別情報を組み込む処理を行うことを特徴とする。
（４）  （３）の医療情報管理システムにおいて、前記医療装置は患者眼を撮影するための眼科撮影装置であり、前記医用画像は患者眼の撮影画像であることを特徴とする。
【発明の効果】
【０００８】
本発明によれば、医療情報の信頼性を確認できると共に、使い勝手のよい医療情報管理システムを提供できる。
【発明を実施するための形態】
【０００９】
以下、本発明の医療情報管理システムを図面に基づき説明する。なお、本発明の医療情報管理システムは、医療情報を電子化し、サーバによって、一括管理するものであり、インターネットやＬＡＮ（Local Area Network）等のネットワーク技術を用いて病院内の各部署や、病院間を結びつけることにより構築される。ここでは、医療情報管理システムとして眼科情報の保存・管理をするための眼科用の医療情報管理システム（以下、眼科情報管理システムと記す）を例に挙げて説明する。
【００１０】
図１は、眼科情報管理システムの構成のブロック図である。管理サーバ１０は、医療情報管理システムの主要な演算処理を担うＣＰＵ等から構成される制御部１２と、記憶部１３とがサーバ本体１１に搭載されている。ハードディスク等からなる記憶部１３には、後述する検査用クライアント２０ｂから入力された眼科用の医療情報データ（以下、単に医療情報データと記す）が記憶される。また、記憶部１３には、医療情報を管理するためのプログラム（医療情報管理ソフト）等、医療情報管理システム全体の動作制御を行うための各種プログラム１４が予め記憶されている。なお、医療情報データには、後述する検査機器３０で取得された医用情報と、入力手段２３で入力された識別情報（検者、患者、医師の識別情報）及び検査機器３０での検査時に付与される識別情報（撮影日時、撮影条件等）とが付帯情報として関連付けられて一つのデータとして形成されている。なお、これらのデータはすべて管理サーバ１０で一元管理される。
【００１１】
管理サーバ１０には、複数のクライアント（管理サーバ１０が提供する情報を利用するためのコンピュータ）２０（２０ａ〜２０ｄ）がネットワーク１５を介して接続されている。ネットワーク１５としては、例えばインターネットやＬＡＮ（Local Area Network）等が挙げられる。なお、管理サーバ１０と各クライアント２０とは、図示を略すインターフェースを介して接続されることで、相互に各種データの入出力が行われるようになっている。
【００１２】
眼科情報管理システムに接続されるクライアント２０としては、来院した患者の受付等の手続きを行う受付用クライアント２０ａ、患者の検査データ等を管理する検査用クライアント２０ｂ、カルテの記載や管理、閲覧等をする診察用クライアント２０ｃ、診察の済んだ患者の医療費の算出・次回診察等の予約等をする会計用クライアント２０ｄ等が挙げられる。
【００１３】
各クライアント２０（２０ａ〜２０ｄ）は、ＰＣ（パーソナルコンピュータ）本体２１、管理画面や検査用画面などの各種作業画面が表示されるモニタ２２、検者や患者などの各種識別情報や各種入力操作等を行うための入力手段２３、プリンタ等の外部出力部２４とから構成されている。なお、入力手段２３には、検者情報，患者情報などの識別情報を個別に入力できるものが使用される。具体的な入力手段としては、例えば、キーボード、マウスの他、バーコードリーダ又はカードリーダ等が使用される。外部出力部２４には、眼科情報管理システムで取り扱われる電子データが改変されない形態で出力できるものが使用される。例えば、周知のプリンタを用いた紙出力などが挙げられる。
【００１４】
なお、ＰＣ本体２１は、眼科情報管理システムの各種プログラムに基づく各種動作制御を行うための制御部２１ａ、クライアント２０から取得される各種情報（医療情報、識別情報など）や前述した医療情報を管理するためのプログラム等が記憶されるハードディスク（記憶部）２１ｂを内蔵している。また、上述した管理画面や検査用画面等の各種の作業画面は、医療情報を管理するためのプログラムが制御部により実行されることによりモニタに表示される。
【００１５】
以上のような構成を備える各クライアント２０（２０ａ〜２０ｄ）は、施設内ＬＡＮケーブル２５，ネットワーク１５、図示を略すインターフェースを介して管理サーバ１０と接続される。これにより、管理サーバ１０と各クライアント２０同士が接続されてネットワーク環境が形成される。なお、施設内ＬＡＮケーブル２５、ネットワーク１５、図示なきインターフェース等により、記憶部２１ｂに記憶された医療情報データを管理サーバ１０側に出力するための出力手段が構成される。
【００１６】
各クライアント２０から入力される各種の情報は、管理サーバ１０の記憶部１３にて保存・管理される。また、記憶部１３に保存された情報は、各クライアント２０のモニタ２２上で、仮想的に管理、閲覧、変更しているかのようなサーバ・クライアントシステムが構築される。
【００１７】
なお、検査用クライアント２０ｂには、眼科用の各種検査機器（眼科装置）３０が接続されている。例えば、検査機器３０としては、被検者眼の眼底写真を撮影するための眼底カメラ、被検者眼の視力検査を行うための視力検査装置、被検者眼の屈折力を測定するための屈折力測定装置、眼圧を測定するための眼圧測定装置、角膜曲率を測定するための角膜曲率測定装置、眼軸長を測定するための眼軸長測定装置などが挙げられるが、これに限るものではなく、患者の医療情報を取得できる装置であればよい。本実施形態では、このような検査機器３０とクライアント２０ｂとを合わせて、患者の医療情報を取得するための医療装置として示している。なお、このような検査機器３０にクライアントの機能を持たせることも可能である。つまり、検査機器３０に検査用クライアント２０ｂの各種機能が内蔵された一体型のものが使用されても良い。
【００１８】
なお、ここでは、受付用クライアント２０ａ、診察用クライアント２０ｃ、会計用クライアント２０ｄについての詳細な説明は省略するが、受付用クライアント２０ａの入力手段２３では、例えば患者情報（患者の識別情報）の入力が行われ、診察用クライアント２０ｃでは医師の診療結果等の入力が行われ、それぞれＬＡＮケーブル２５を介して管理サーバ１０へと送られるようになっている。そして、管理サーバ１０でのファイリングによりこれらの情報が医療情報データとして一元管理される。
【００１９】
ここで、検査機器３０として、以降の説明で用いられる眼底カメラの構成を簡単に説明する。図２は、眼底カメラの概略構成を説明するためのブロック図である。制御部２４０には、照明ユニット２１０、撮影ユニット２２０、モニタ２４１、メモリ２４２、外部入出力部２４３、操作部２４４が接続されている。照明ユニット２１０は、被検眼に向けて赤外光を照射するための観察照明光学系や可視のフラッシュ光を被検眼に照射させる撮影照明光学系等が設けられている。また、撮影ユニット２２０には二次元撮像素子や各種の光学部材からなる前眼部観察光学系や眼底撮影光学系等が設けられている。これらの光学系は眼底カメラの既知の技術を用いたものであり、詳細な説明は割愛する。
検査機器３０（眼底カメラ）の撮影ユニット２２０にて撮影された眼底画像や前眼部画像は、制御部２４０によりモニタ２４２に表示される。また、制御部２４０は操作部２４４からの所定の入力信号によって、モニタ２４２に表示されている眼底撮影画像を医用画像としてメモリ２４２に記憶させると共に、外部入出力部２４３から検査用クライアント２０ｂへと出力させる制御を行う。
一方、クライアント２０ｂでは、入力された眼底撮影画像（医用画像）に患者情報や検者情報（検査機器３０を操作した操作者情報）を制御部２１ａにより関連付けた状態で一つの医療情報としてＬＡＮケーブル２５等を介して管理サーバ１０へと送られる。
【００２０】
次に、以上のような構成を備える医療情報管理システムにおいて、検査用クライアント２０ｂを用いて医用画像や他の医療情報の取得を行い、外部出力を行うまでの動作を説明する。なお、ここでは、検査機器３０として、図２に示すような被検者眼の眼底撮影を行う眼底カメラを用いる例を説明する。図３は、医療情報の取得から外部出力までの処理ステップのフローチャートである。
【００２１】
なお、ここでの図示は省略するが、管理サーバ１０には各種の識別情報が予め登録される。例えば、図示を略す管理用クライアント２０の入力手段２３の操作により、所定のプログラムが実行され医療情報管理ソフトが立ち上がり、モニタ２２に管理画面が表示される。この管理画面に入力手段２３を用いてＩＤ番号、氏名、所属等の検者の識別情報（検者情報）が入力され、管理サーバ１０に登録される。なお、各検者情報に対して個別にパスワードが設定されることが好ましい。一方、受付用クライアント２０の入力手段２３の操作により、管理画面に患者情報が入力される。患者情報としては、氏名・性別・生年月日・年齢などの個人情報、主治医・初診日・最終来院日などの診察情報などがある。そして、入力された患者情報もまた、検者情報と同様に管理サーバ１０の記憶部１３に保存される。
【００２２】
以上のように識別情報が登録された状態で検査が開始される。医療情報管理ソフトが立ち上がった状態で、検査用クライアント２０ｂにおいて検者の識別情報（ＩＤ）が入力される（ステップ１０１）。制御部２１ａによりモニタ２２上に図示を略す検者情報入力画面が表示されると、検者は入力手段２３の操作によって検者情報（ＩＤ）の入力を行う。次に、ステップＳ１０２で、制御部２１ａは入力されたＩＤと、記憶部１３に保存されているＩＤとの認証を行う。ここで、ＩＤが認証された場合は、制御部２１ａはモニタ２２上に図示を略す検査用画面を表示させて、検査用画面上に検者情報を表示させる。そして、ステップＳ１０３へ進む。一方、ＩＤが認証されない場合には、ステップＳ１０１に戻り、検者情報の認証が繰り返し行われるようにする。この時、認証の回数を制限するようにしても良い。また、本実施形態では、検者によるＩＤの入力操作で照合が行われているが、これに限るものではない。例えば、ＩＤカードや無線ＩＣチップ（ＲＦＩＤ）等のデバイスリーダや、指紋や声紋、または、網膜、虹彩、掌等の血管パターンや署名時の筆圧、速度等を用いたバイオメトリック認証（生体認証）用リーダ等を設けて、検者の個人認証を行っても良い。
【００２３】
ステップＳ１０３で医療情報を取得する患者情報が選択される。例えば、モニタ２２の検査用画面上には、記憶部１３に記憶されている複数の患者情報のうち、これから眼底カメラによる検査が行われる患者リストが選択可能に表示されるとする。なお、患者情報は、ＬＡＮケーブル２５、ネットワーク１５を介して管理サーバ１０のデータベースにアクセスすることで確認される。検者による入力手段２３の操作で該当する患者が選択されると、制御部２１ａはモニタ２２の検査画面上に患者情報を表示させる。
【００２４】
次に、ステップＳ１０４で医療情報が取得される。ここでは、眼底カメラ（検査機器３０）の撮影ユニット２２０により医用画像としての眼底撮影画像が撮影される。撮影された眼底撮影画像は制御部２４０によって、所定の演算処理により眼底撮影画像データが生成され、モニタ２４１上に表示される。また、制御部２４０は、外部入出力部２４３を介して、取得された眼底撮影画像データを検査用クライアント２０ｂ側へ出力させる。検査用クライアント２０ｂでは、制御部２１ａにより患者情報と検者情報（識別情報）とを付帯情報として眼底撮影画像に関連付けるとともに、眼底画像データに患者情報や検者情報等の識別データを組み込む処理を行った上でこれらの情報を一つの医療情報データとして記憶部２１ｂに記憶させる。なお、組み込む処理によって、例えば、識別情報の不可視化等のデータ改ざんが行えないような電子的な保護処理がされる。
また、クライアント２０ｂ側では、入力手段２３からの入力信号に基づき、所定のデータ送信処理が行われることで、記憶部２１ｂに記憶された医療情報データはインターフェース、ＬＡＮケーブル２５、ネットワーク１５等を介して、管理サーバ１０に出力される。そして、記憶部１３で記憶されることとなる。
【００２５】
次に、ステップＳ１０５で医療情報の出力が行なわれる。なお、ここでの医療情報の出力とは、一旦管理サーバ１０の記憶部１３に保存された医療情報データを電子的又は別の形態（紙出力など）で検者等が視覚的に確認できるように可視化した状態にすることをいう。例えば、医療情報をモニタ２２に表示させる、プリンタ等の外部出力部２４から紙出力すること等が挙げられる。
【００２６】
まず、モニタ２２に医療情報（眼底画像）を表示させる場合を説明する。クライアント２０のモニタ２２に表示されている作業画面（例えば、医療情報の管理画面等）において医療情報呼び出し用の入力信号が管理サーバ１０に入力されると、制御部１２は、記憶部１３に記憶されている複数の医療情報データから、該当する医療情報データを抽出して、該当するクライアント２０側へと送る。クライアント２０側では、送られてきた医療情報データが制御部２１ａによりモニタ２２の医療情報管理画面に表示される。なお、医療情報管理画面には検者情報、患者情報、医用画像を個別に表示させるための各種表示欄が所定のレイアウトにて形成されている。制御部２１ａは受け取った医療情報データから医用画像を抽出すると共に、さらに医療情報データに付帯する様々な情報から検者情報（識別情報）等を個別に抽出する。そして、医療情報管理画面の各表示欄に対応させて医用画像、検者情報などを個別に組み込む（貼り付ける）処理を行う。これにより、モニタ２２の画面上において医用画像を表示しながら同時に関係する検者情報が確認できるようになる。
【００２７】
次に、プリンタ等の外部出力装置２４から医療情報を出力させる場合を説明する。記憶部１３から該当する医療情報データが呼び出されてクライアント２０側へと送られると、クライアント２０側では、制御部２１ａによって医療情報データから、医用画像と、医療情報データに付帯する様々な情報から検者情報等の識別情報とが個別に抽出される。そして、医用画像とともに識別情報が所定のレイアウトで可視化された状態で外部出力部２４から出力される。
【００２８】
ここで、図４（ａ）に外部出力部２４から紙出力された場合の眼底画像４００の例を示す。このように、眼底カメラ２００で取得された眼底画像４０１に、識別情報４０２（患者情報４０２ａ、検者情報４０２ｂ）が添付された状態となっている。また、図４（ｂ）にモニタ２２に表示される医療情報管理画面の例を示す。この例では、管理画面上において医用画像が貼り付けられる表示欄４１１と、患者情報が貼り付けられる表示欄４１２と、検者情報が貼り付けられる表示欄４１２とは、各々独立して形成されている。制御部１２は、このような各表示欄４１１〜４１３に各々対応する情報を貼り付けて表示を行う処理を行う。
【００２９】
このように医療情報が出力される際に、自動的に検者情報も出力されるようにすることで、第三者から見たときに誰が撮影を行ったのか（その情報を取得したのか）を確認できるようになる。また、出力を行う毎に検者情報の入力を行う等の手間を省くことができるようになる。更には、医療情報データに保存される医療情報と共に検者等の識別情報が出力されることで、医療情報を用いて患者の診断などを行う際に医療情報の信頼性を確認出来るようになる。
【００３０】
なお、記憶部１３の医療情報管理プログラムに基づき行われる医用画像と検者情報との可視化は上記に限られるものではない。例えば、医用画像上に検者情報を重畳したり、隣接して表示されるような処理を行ってもよい。また、医用画像の一部を検者情報に置換する処理を行うことで情報の関連付けが行われたものが同様にモニタ又はプリンタを介して可視化されるようにしても良い。
【００３１】
また、検者情報などの識別情報は、医療情報と組合せて使用される他、用途に応じて独立して使用することもできる。例えば、検者の給与の支払額の計算、検者の撮影の成功度等、検者に関する演算を行う場合には、医療情報データに付帯する情報として記憶された識別情報のみが抽出されるようにする。このようにすると、検者等に関する様々な統計処理を行えるようになり、医療情報管理システムの使い勝手が向上される。
特に、眼科分野など多くの種類の検査機器が扱われる場合において、複数の検者が操作を行う場合には、検者等の関する統計処理を行うことが困難であることも予想される。そこで、このように検者情報などの識別情報が活用されると医療情報管理システムの使い勝手を良くすることができる。
【００３２】
なお、識別情報の真正性を示すために、出力される医療情報又は識別情報に周知の電子透かし情報が組み込まれるようにしても良い。なお、電子透かし情報としては周知のものを組み込むことができる。例えば、可視可能な電子透かし情報を組み込む場合には、上述した検者情報自体に電子透かし情報を組み込む演算を行い、医療情報に組み込むことができる。又は、医療情報に対して特殊な文字・記号等を合成することで電子透かし情報が視覚的に認識されるようにしても良い。また、可視ができない電子透かし情報を組み込むようにしても良い。このようにすると、画質の劣化を好適に抑制することができる。なお、医療情報及び識別情報が紙出力される場合は、周知の電子透かし検出装置で電子透かし情報を検出することができる。一方、医療情報及び識別情報がモニタ上などに電子的に出力される場合には、ＰＣ本体２１に電子透かし情報を検出するための検出機能を設けるようにすれば良い。
【００３３】
なお、以上のように、医療情報データに電子透かし情報を組み込む場合には、電子透かし情報が組み込まれていない同じ内容の医療情報データが作られるようにする（つまり、管理サーバ１０に同じ内容の医療情報データが２つ用意されるようにする）。以上のようにすると、例えば、医療情報を外部に出力する際には、電子透かし情報が組み込まれた医療情報データからの情報抽出が行われ、検者情報に関する演算が行なわれる場合等には、電子透かし情報が組みこまれていない医療情報データからの情報抽出が行われるようにすることができるようになる。
【００３４】
なお、上記では眼科用の医療情報管理システムを例に挙げて説明したが、これ以外にも各種医療機関で使用される医療情報管理システムにおいて、本発明が適用されることで、識別情報が好適に利用されるようになる。例えば、内科、外科等の開業医の他、総合病院などに使用される医療情報管理システムにおいて適用可能である。
【図面の簡単な説明】
【００３５】
【図１】眼科情報管理システムの構成のブロック図である。
【図２】眼底カメラの概略構成を説明するためのブロック図である。
【図３】医療情報取得から外部出力までの処理ステップのフローチャートである。
【図４】モニタ又はプリンタから出力された眼底画像の例である。
【符号の説明】
【００３６】
１０  管理サーバ
１２、２１ａ  制御部
１３、２１ｂ  記憶部
２０  クライアント
２２  モニタ
２３  入力手段
２４  外部出力部
３０  検査機器
【図１】
2012200292.tif 000003
【図２】
2012200292.tif 000004
【図３】
2012200292.tif 000005
【図４】
2012200292.tif 000006